(57)【要約】【課題】浴室使用者の浴室使用状態に対応して主照明ランプと副照明ランプの使用を自動的に切替える浴室照明装置を提供する。【解決手段】浴室１外に照明装置４への電力の供給のＯＮ／ＯＦＦを行い且つＯＮ操作により主照明ランプ２を点灯させて普通照明モードとするメインスイッチ５を設ける。浴室１内に所定高さの位置に人体の有無を検知するための人体検知センサ６を設ける。上記人体検知センサ６で人を検知した場合に主照明ランプ２による照明を行い且つ人体検知センサ６で人を検知しない場合に副照明ランプ３による照明を行う照明自動切替えモードに切替えるためのモード切替えスイッチ７を浴室１内に設ける。メインスイッチ５をＯＮにして主照明ランプ２を点灯した時にのみモード切替えスイッチ７による照明自動切替えモードへの移行を有効とする制御を行う制御部８を備える。【選択図】        図１
2004152508.tif 000002
【特許請求の範囲】
【請求項１】
主照明ランプと、間接照明する又は主照明ランプよりも照度を低下させた光で照明する副照明ランプとを備えた照明装置を浴室に設け、浴室外に照明装置への電力の供給のＯＮ／ＯＦＦを行い且つＯＮ操作により主照明ランプを点灯させて普通照明モードとするメインスイッチを設け、浴室内に所定高さの位置に人体の有無を検知するための人体検知センサを設け、上記人体検知センサで人を検知した場合に主照明ランプによる照明を行い且つ人体検知センサで人を検知しない場合に副照明ランプによる照明を行う照明自動切替えモードに切替えるためのモード切替えスイッチを浴室内に設け、メインスイッチをＯＮにして主照明ランプを点灯した時にのみモード切替えスイッチによる照明自動切替えモードへの移行を有効とする制御を行う制御部を備えて成ることを特徴とする浴室照明装置。
【請求項２】
上記副照明ランプを浴室の天井と壁のコーナー部に設けられた廻縁に内装し、副照明ランプの浴室内側に位置する廻縁の一部を透光性を有する部材で形成して成ることを特徴とする請求項１記載の浴室照明装置。
【発明の詳細な説明】
【０００１】
【発明の属する技術分野】
本発明は、主照明ランプと副照明ランプとを備えた室内照明装置に関するものである。
【０００２】
【従来の技術】
従来から、浴室内を演出する浴室照明装置として、浴室内を照らす主照明ランプと、浴室演出用の副照明ランプとを備えたものが知られている。この浴室照明装置は主照明ランプのＯＮ／ＯＦＦを切替える浴室外に設けた主照明スイッチと、浴室内において主照明ランプと副照明ランプの使用を切替える副照明スイッチとを備えている（例えば特許文献１参照）。
【０００３】
【特許文献１】
特開２００１−２３６８２１号公報
【０００４】
【発明が解決しようとする課題】
ところで、浴室使用者は一般的に浴槽入浴時にはよりリラックスした状態で入浴するために副照明ランプにて浴室を照明し演出することが好ましく、また洗い場を使用する際や浴室から出入りする際には浴室を明るくするために主照明ランプにて浴室内を明るく照らすことが好ましいのだが、上記従来例に示すものにおいては、浴槽に出入りする際や浴室から出入りする際等に、その都度浴室使用者が室内スイッチを操作して主照明ランプと副照明ランプの使用を切替えなければならず非常に面倒であった。
【０００５】
また、上記のような副照明ランプ３は例えば図８、図９に示すように浴室１の壁の上下方向の中央に突出して配設されており、副照明ランプ３を設置するスペースの分だけ浴室１内のスペースが狭くなってしまったり、副照明ランプ３により外観が損なわれたり、また副照明ランプ３が邪魔になって掃除をし難くなる等の問題があった。なお、１４は浴槽、１５は洗い場、２５は洗い場１５に設けたカウンターである。
【０００６】
本発明は上記の点に鑑みてなされたものでありその目的とするところは、浴室使用者の浴室使用状態に対応して主照明ランプと副照明ランプの使用を自動的に切替えて浴室使用者の手間を省き、また副照明ランプにより浴室のスペースが狭くならず、また浴室内のデザイン性が損なわれず且つ浴室の壁の掃除をし易い浴室照明装置を提供することを課題とするものである。
【０００７】
【課題を解決するための手段】
上記課題を解決するために本発明に係る浴室照明装置は、主照明ランプ２と、間接照明する又は主照明ランプ２よりも照度を低下させた光で照明する副照明ランプ３とを備えた照明装置４を浴室に設け、浴室１外に照明装置４への電力の供給のＯＮ／ＯＦＦを行い且つＯＮ操作により主照明ランプ２を点灯させて普通照明モードとするメインスイッチ５を設け、浴室１内に所定高さの位置に人体の有無を検知するための人体検知センサ６を設け、上記人体検知センサ６で人を検知した場合に主照明ランプ２による照明を行い且つ人体検知センサ６で人を検知しない場合に副照明ランプ３による照明を行う照明自動切替えモードに切替えるためのモード切替えスイッチ７を浴室１内に設け、メインスイッチ５をＯＮにして主照明ランプ２を点灯した時にのみモード切替えスイッチ７による照明自動切替えモードへの移行を有効とする制御を行う制御部８を備えて成ることを特徴とするものである。
【０００８】
このように浴室１外に照明装置４への電力の供給のＯＮ／ＯＦＦを行い且つＯＮ操作により主照明ランプ２を点灯させて普通照明モードとするメインスイッチ５を設け、浴室１内に例えば洗い場に着座した浴室使用者の頭部と略同じ高さの所定高さの位置に人体の有無を検知するための人体検知センサ６を設け、上記人体検知センサ６で人を検知した場合に主照明ランプ２による照明を行い且つ人体検知センサ６で人を検知しない場合に副照明ランプ３による照明を行う照明自動切替えモードに切替えるためのモード切替えスイッチ７を浴室１内に設け、メインスイッチ５をＯＮにして主照明ランプ２を点灯した時にのみモード切替えスイッチ７による照明自動切替えモードへの移行を有効とする制御を行う制御部８を備えているので、メインスイッチ５をＯＮにして普通照明モードに移行することで通常通り主照明ランプ２で照明して浴室１を使用することができるのは勿論のこと、加えて浴室１入室後にモード切替えスイッチ７をＯＮにして照明自動切換えモードとすることで、浴室使用者が洗い場に着座して体を洗う際や、浴室１に出入りする際等においては通常通り主照明ランプ２で照明して浴室１内を明るく照らすことができ、また浴槽入浴時においては、副照明ランプ３による照明を行うことができる。
【０００９】
また請求項２記載の浴室照明装置は請求項１記載の浴室照明装置において、上記副照明ランプ３を浴室１の壁９と天井１０とのコーナー部１１に配設される廻縁１２に内装し、副照明ランプ３の浴室１内側に位置する廻縁１２の一部を透光性を有する部材で形成して成ることを特徴とするものである。
【００１０】
このように副照明ランプ３を浴室１の天井１０と壁９のコーナー部１１に設けられた廻縁１２に内装し、副照明ランプ３の浴室１内側に位置する廻縁１２の一部を透光性を有する部材で形成することで、従来から天井１０と壁９とのコーナー部１１に設けられている廻縁１２内に副照明ランプ３を配置することができ、これにより浴室１内のスペースを広くすることができる。また、従来のように副照明ランプ３を浴室の壁に設ける必要がなく、浴室１内のデザイン性が向上し、また壁の掃除がし易くなる。
【００１１】
【発明の実施の形態】
以下、本発明を添付図面に示す実施形態に基づいて説明する。
【００１２】
図１に示すように浴室１は、平面視矩形状の床１３と、床１３の周縁から立設された四方の壁９と、これら壁９によって形成された上方開口を覆う天井１０とからなる。床１３の上面の片側半部には浴槽１４が設けられており、浴槽１４と反対側の半部にはカウンター２５を備えた洗い場１５が設けられている。また図示は省略するが、洗い場１５と接する３枚の壁のうちいずれかの壁には脱衣室等の浴室１外から洗い場に通じる出入り口が設けられている。
【００１３】
上記浴室１には照明装置４が設けられており、照明装置４は、浴室１内である壁９の内面上部もしくは天井１０の下面に設けた浴室１内の全体を照らす主照明ランプ２と、浴室１内の浴槽１４近傍に位置する壁９の内面に設けた前記主照明ランプ２よりも照度を低下させた光で浴室１内を照らして照明する副照明ランプ３と、浴室１の天井１０裏に設けた制御部８とで構成されている。主照明ランプ２と副照明ランプ３の夫々は制御部８に接続され、制御部８から電力が供給されて点灯するものである。なお前記副照明ランプ３は浴室１内を間接照明するものであっても良いものとする。
【００１４】
浴室１外には照明装置４への電力の供給のＯＮ／ＯＦＦを行うメインスイッチ５が設けられている。すなわち、上記制御部８はこのメインスイッチ５を介して電源（ＡＣ１００Ｖ）に接続されており、メインスイッチ５のＯＮ／ＯＦＦの切替えにより電源から制御部８へ電力を供給するか否かを切替えられるようにしている。また浴室１内の浴槽１４近傍にはモード切替えスイッチ７が設けられており、該モード切替えスイッチ７は制御部８に接続されている。
【００１５】
浴室１内の所定高さの位置には人体を検知するための人体検知センサ６が設けられており、この人体検知センサ６は浴室１内の人体検知センサ６と同一高さに位置する人体を検知するものである。ここで前記所定高さについて説明すると、人体検知センサ６は洗い場に着座した浴室使用者の頭部と略同じ高さに配設してあり、浴槽１４に入浴中の浴室使用者を感知せず、尚且つ洗い場５に着座した浴室使用者を感知できる高さに配設されている。すなわち人体検知センサ６は浴槽１４に入浴している浴室使用者のみを検知せず、それ以外の洗い場１５から浴室１に出入りする浴室使用者や洗い場１５に居る浴室使用者等を検知するものである。そして上記人体検知センサ６も制御部８に接続されている。
【００１６】
そして制御部８は図２に示すように接続されており、メインスイッチ５のＯＮ／ＯＦＦ、モード切替えスイッチ７のＯＮ／ＯＦＦ、人体検知センサ６の検知結果に基づいて、主照明ランプ２と副照明ランプ３の夫々への電力の供給のＯＮ／ＯＦＦの制御を行い、これにより主照明ランプ２と副照明ランプ３の夫々の点灯と消灯を制御している。
【００１７】
詳述すると、制御部８は主照明ランプ２を点灯すると共に副照明ランプ３を消灯する普通照明モードを有しており、この普通照明モードへの移行は前述したメインスイッチ５のＯＮ操作により行われるものである。
【００１８】
また制御部８は人体検知センサ６で人を検知した場合には主照明ランプ２を点灯すると共に副照明ランプ３を消灯し（主照明ランプ２による照明を行う）且つ人体検知センサ６で人を検知しない場合には主照明ランプ２を消灯すると共に副照明ランプ３を点灯する（副照明ランプ３による照明を行う）照明自動切替えモードを有しており、この照明自動切替えモードへの移行は前述したモード切替えスイッチ７のＯＮ操作により行われるものである。
【００１９】
上記制御部８は、前記メインスイッチ５をＯＮにして主照明ランプ２が点灯している場合のみモード切替えスイッチ７による照明自動切替えモードへの移行を有効とする制御を行っている。またメインスイッチ５をＯＦＦにした場合は、モード切替えスイッチ７はＯＦＦにリセットされるように設定されており、次回メインスイッチ５をＯＮにした場合には、必ず普通照明モードとなる。
【００２０】
上記浴室照明装置は浴室使用者により例えば以下のように使用される。
【００２１】
まず、浴室使用者は夜間等の浴室１内が暗い場合には浴室１入室時にメインスイッチ５をＯＮにして普通照明モードとし、主照明ランプ２を点灯させる。続いて浴室使用者は主照明ランプ２により明るくなった浴室１に入室し、通常通り主照明ランプ２による照明のみで浴室１を使用する場合、すなわち浴槽１４入浴時に副照明ランプによる演出照明を行わない場合は、モード切替えスイッチ７を操作せず普通照明モードにて浴室１を使用する。
【００２２】
浴槽１４入浴時に副照明ランプ３による演出照明を行う場合は、浴室使用者は浴室１入室後にモード切替えスイッチ７をＯＮにし普通照明モードから照明自動切替えモードに移行させ浴室１を使用する。この照明自動切替えモードにおいては、浴室使用者が洗い場１５に着座して体を洗う際や、浴室１に出入りする際等には、通常通り人体検知センサ６が人体を検知して主照明ランプ２による照明が行われる。一方、この照明自動切替えモードにおいて浴室使用者が浴槽１４に入浴した際には、人体検知センサ６が人体を検知せず副照明ランプ３による照明が行われ、浴室１内の演出照明が行われる。すなわち、浴室使用者の使用状態に対応して主照明ランプ２及び副照明ランプ３による照明を自動的に切替えている。
【００２３】
上記のように本発明では、メインスイッチ５をＯＮにして普通照明モードにすることで通常通り主照明ランプ２による照明で浴室１を使用することができるのは勿論のこと、加えて浴室１入室後にモード切替えスイッチ７をＯＮにすることで、浴室使用者が洗い場１５に着座して体を洗う際や、浴室１に出入りする際等においては通常通り主照明ランプ２による照明を行って浴室１内を明るく照らして体を洗う際や浴室１の出入りに支障がなく、また浴槽１４入浴時においては、副照明ランプ３による照明を行うことができ、よりリラックスした状態で浴槽１に入浴することが可能となる。また、この照明自動切替えモードにおける主照明ランプ２及び副照明ランプ３による照明の切替えは、人体検知センサ６の検知結果に基づいて制御部８により自動的に行われるため、浴室使用者は浴槽１４から出入りする毎に主照明ランプ２による照明と副照明ランプ３による照明とを切替える必要がなく、手間が省ける。
【００２４】
次に上記とは異なる実施形態を以下に示す。なお、本実施形態は上記副照明ランプ３を浴室１の天井１０と壁９のコーナー部１１に設けられた廻縁１２に内装し、副照明ランプ３の浴室１内側に位置する廻縁１２の一部を透光性を有する部材で形成した点に特徴があり、上記実施形態と同一の構成については同一の番号を付与してあり、重複する説明については説明を省略する。
【００２５】
浴室１の天井１０と壁９とで形成される直角のコーナー部１１には図３〜５に示すように廻縁１２が設けられており、本実施形態における廻縁１２は図に示すように浴槽１４と接する夫々の壁９と天井１０とのコーナー部１１の３箇所に設けられている。なお、図５中２６は窓である。
【００２６】
各廻縁１２は壁９の幅方向全長に亘って設けられており、断面略直角三角形状を有している。廻縁１２は、図６及び図７に示すように壁９と天井１０とのコーナー部１１に沿ってねじ等の固着具１６により取付けられる断面Ｌ字状のＬ字状片１７と、Ｌ字状片１７の浴室１内側の開口を覆うカバー１８とで構成されている。
【００２７】
Ｌ字状片１７は、壁９に沿う縦片１９と、天井１０に沿う横片２０とからなる。そして縦片１９の内面には長手方向の複数の箇所に副照明ランプ３を配設してあり、これにより廻縁１２に副照明ランプ３を内装している。副照明ランプ３は、縦片１９の内面に設けた基板２１と、基板２１に設けた超高輝度ＬＥＤ等のＬＥＤ２２とで構成されており、基板２１はリード線２３を介して制御部８に接続されている。このリード線２３は浴室１内に露出しないように基板２１からＬ字状片１７、壁９を貫通し、壁９の裏側及び天井１０の裏側を通って制御部８に接続されている。
【００２８】
カバー１８はＬ字状片１７に対して着脱自在に取付けられている。カバー１８のＬＥＤ２２（副照明ランプ３）の浴室１内側に位置する長手方向の複数の箇所には透光性を有する部材である透光板２４が設けられている。またこの透光板２４は廻縁１２内のＬＥＤ２２から照射された光を拡散させて浴室１内を演出照明するようにシボ状に形成されている。なお、本実施形態における透光板２４は上記のようにカバー１８の長手方向の複数の箇所に設けたが、これに限定されるものではなく、例えばカバー１８の長手方向全長に亘って設けても良く、またこの場合、縦片１９の内面の長手方向の全長に亘って副照明ランプ３を設けても良い。
【００２９】
しかして上記実施形態同様に照明自動切替えモードにおいて浴室使用者が浴槽１４に入浴した際には、副照明ランプ３による照明が行われ、浴室１内の演出照明が行われる。
【００３０】
このように副照明ランプ３を浴室１の天井１０と壁９のコーナー部１１に従来から設けられている廻縁１２に内装し、副照明ランプ３の浴室１内側に位置する廻縁１２の一部を透光性を有する部材で形成することで、従来から天井１０と壁９とのコーナー部１１に設けられている廻縁１２内に副照明ランプ３を配置することができ、これにより浴室１内のスペースを広くすることができる。また、従来のように副照明３を浴室１の壁９に設ける必要がなく、浴室１内のデザイン性が向上し、また掃除がし易くなる。
【００３１】
【発明の効果】
上記のように本発明の請求項１記載の発明にあっては、このように浴室外に照明装置への電力の供給のＯＮ／ＯＦＦを行い且つＯＮ操作により主照明ランプを点灯させて普通照明モードとするメインスイッチを設け、浴室内に所定高さの位置に人体の有無を検知するための人体検知センサを設け、上記人体検知センサで人を検知した場合に主照明ランプによる照明を行い且つ人体検知センサで人を検知しない場合に副照明ランプによる照明を行う照明自動切替えモードに切替えるためのモード切替えスイッチを浴室内に設け、メインスイッチをＯＮにして主照明ランプを点灯した時にのみモード切替えスイッチによる照明自動切替えモードへの移行を有効とする制御を行う制御部を備えることで、メインスイッチをＯＮにして普通照明モードにすることで通常通り主照明ランプによる照明で浴室を使用することができるのは勿論のこと、加えて浴室入室後にモード切替えスイッチをＯＮにして照明自動切換えモードとすることで、浴室使用者が洗い場に着座して体を洗う際や、浴室に出入りする際等においては通常通り主照明ランプによる照明を行って浴室内を明るく照らすことができ、体を洗う際や浴室の出入りに支障がなく、また浴槽入浴時においては、副照明ランプによる照明を行うことができ、よりリラックスした状態で浴槽に入浴することが可能となる。また、この照明自動切替えモードにおける主照明ランプ及び副照明ランプによる照明の切替えは、人体検知センサの検知結果に基づいて制御部により自動的に行われるため、浴室使用者は浴槽から出入りする毎に主照明ランプによる照明と副照明ランプによる照明とを切替える必要がなく、手間が省ける。
【００３２】
また請求項２記載の発明にあっては、上記請求項１記載の発明の効果に加えて、副照明ランプを浴室の天井と壁のコーナー部に設けられた廻縁に内装し、副照明ランプの室内側に位置する廻縁の一部を透光性を有する部材で形成することで、従来から天井と壁とのコーナー部に設けられている廻縁内に副照明ランプを隠すことができ、これにより浴室内のスペースを広くすることができる。また、従来のように副照明を浴室の壁に設ける必要がなく、浴室内のデザイン性が向上し、また掃除がし易くなる。
【図面の簡単な説明】
【図１】本発明の実施形態の一例を示す浴室の側面図である。
【図２】同上の制御部の説明図である。
【図３】異なる実施の形態の一例を示す浴室の側面図である。
【図４】同上の浴室の平面図である。
【図５】図４のＡ―Ａ線断面図である。
【図６】同上のコーナー部から取り外した廻縁を示す斜視図である。
【図７】同上の要部拡大断面図である。
【図８】従来の浴室照明装置を説明する平面図である。
【図９】同上のＢ−Ｂ線断面図である。
【符号の説明】
１  浴室
２  主照明ランプ
３  副照明ランプ
４  照明装置
５  メインスイッチ
６  人体検知センサ
７  モード切替えスイッチ
８  制御部
９  壁
１０  天井
１１  コーナー部
１２  廻縁
【図１】
2004152508.tif 000003
【図２】
2004152508.tif 000004
【図３】
2004152508.tif 000005
【図４】
2004152508.tif 000006
【図５】
2004152508.tif 000007
【図６】
2004152508.tif 000008
【図７】
2004152508.tif 000009
【図８】
2004152508.tif 000010
【図９】
2004152508.tif 000011